(57)【要約】      （修正有）【課題】回覧板が、各家庭の軒下に置かれたり、郵便ポストに挿入された等の状態において、雨等により濡れたとしても、回覧板内の回覧書類が濡れることを抑制することができる回覧板を提供する。【解決手段】２枚の板状部材２、２を開閉可能に連結した回覧板１において、前記２枚の板状部材２、２を開いた状態における、その内面２ａ側の周縁部に弾性部材７を設ける。【選択図】図１
2008273022.tif 000002
【特許請求の範囲】
【請求項１】
２枚の板状部材を開閉可能に連結した回覧板において、前記２枚の板状部材を開いた状態における、その内面側の周縁部に弾性部材を設けたことを特徴とする回覧板。
【請求項２】
前記弾性部材を、前記２枚の板状部材を開いた状態における、その内面の周縁部に全長に亘って設けたことを特徴とする請求項１記載の回覧板。
【請求項３】
２枚のうちのいずれか一方の板状部材の縁部に回覧書類を把持する把持部材を設け、前記２枚の板状部材を開いた状態における、その内面側で、かつ、前記把持部材以外の周縁部全長に亘って、前記弾性部材を設けたことを特徴とする請求項１記載の回覧板。
【請求項４】
前記弾性部材を、前記２枚の板状部材を開いた状態における、その内面の周縁部で、かつ、開いた状態における中央部から左右いずれか一方に位置する内面側の前記周縁部のみの全長に亘って設けたことを特徴とする請求項１記載の回覧板。
【発明の詳細な説明】
【技術分野】
【０００１】
本発明は、回覧板に関する。
【背景技術】
【０００２】
図９、１０に示すように、２枚の板状部材１０１、１０１を開閉可能に連結し、一方の板状部材１０１の内側にはクリップ１０２が配設された回覧板１００が知られ、回覧する書類を、前記クリップ１０２を用いて一方の板状部材１０１の内側に固定した後に、２枚の板状部材１０１、１０１を折り畳むことにより、一方の板状部材１０１と他方の板状部材１０１で書類を挾み込んだ状態の回覧板１００を、各家庭の軒下に置いたり、郵便受けポストに挿入したり等することにより、連絡事項や行事日程等を知らせ合うことが行なわれている。
【０００３】
従来、このような回覧板１００として、板状部材１０１、１０１として厚手の紙を用い、その外周部をビニールシート等１０４により被覆することにより、回覧板１００が雨等でぬれた場合においても、回覧板１００自体が破損等しないようにしたものが知られている。
【発明の開示】
【発明が解決しようとする課題】
【０００４】
前記従来の回覧板では、図１０に示すように、板状部材１０１、１０１を折り畳んだ状態において、２枚の板状部材１０１、１０１間にクリップ１０２が位置することにより、２枚の板状部材１０１、１０１間の周縁部、特に上部に隙間１０５が生じる。この回覧板１００を、各家庭の軒下に置いたり、郵便ポストに挿入した時に、雨等により、回覧板１００が濡れると、回覧板１００を構成する２枚の板状部材１０１、１０１の破損は防止できるが、前記隙間１０５から雨等が回覧板１００の中に侵入した場合には、回覧板１００内の回覧書類が雨等により濡れる虞がある。
【０００５】
そこで、本発明は、回覧板が、各家庭の軒下に置かれたり、郵便ポストに挿入された等の状態において、雨等により濡れたとしても、回覧板内の回覧書類が濡れることを抑制することができる回覧板を提供することを目的とするものである。
【課題を解決するための手段】
【０００６】
前記の課題を解決するために、請求項１記載の発明は、２枚の板状部材を開閉可能に連結した回覧板において、前記２枚の板状部材を開いた状態における、その内面側の周縁部に弾性部材を設けたことを特徴とするものである。
【０００７】
請求項２記載の発明は、請求項１記載の発明において、前記弾性部材を、前記２枚の板状部材を開いた状態における、その内面の周縁部に全長に亘って設けたことを特徴とするものである。
【０００８】
請求項３記載の発明は、請求項１記載の発明において、２枚のうちのいずれか一方の板状部材の縁部に回覧書類を把持する把持部材を設け、前記２枚の板状部材を開いた状態における、その内面側で、かつ、前記把持部材以外の周縁部全長に亘って、前記弾性部材を設けたことを特徴とするものである。
【０００９】
請求項４記載の発明は、請求項１記載の発明において、前記弾性部材を、前記２枚の板状部材を開いた状態における、その内面の周縁部で、かつ、開いた状態における中央部から左右いずれか一方に位置する内面側の前記周縁部のみの全長に亘って設けたことを特徴とするものである。
【発明の効果】
【００１０】
本発明によれば、回覧板を閉じた状態において、一方の板状部材の内面に設けた弾性部材と、他方の板状部材の内面に設けた弾性部材又は把持部材又は一方の板状部材等とが接することにより、回覧板の内部へ雨等が侵入することを抑制し、回覧板内の回覧書類が破損等する虞を低減できる。
【発明を実施するための最良の形態】
【００１１】
本発明を実施するための最良の形態を図１乃至図８に基づいて説明する。
【実施例１】
【００１２】
図１乃至図４は、本発明の実施例１を示す。
図１は、回覧板１を開いた状態の内面図を示すもので、該回覧板１は、図１に示すように、２枚の板状部材２、２を有し、該板状部材２、２全体は、図１、４に示すように、耐水性又は／及び撥水性を有する透明の被覆部材（例えば、ビニールシート）３で一連に被覆され、該被覆部材３により、左右の２枚の板状部材２、２は、中央の連結部を中心として開閉可能に連結されている。
【００１３】
前記両板状部材２は、図１に示すように、縦長の長方形に形成され、その縦、横、厚みの長さは任意に設定される。板状部材２は、例えば、厚手の紙で形成され、その表裏面には広告や案内等が掲載されている場合がある。
【００１４】
一方の板状部材２の内面２ａ側で、かつ、その上縁部の近傍には、回覧書類を把持するための把持部材５が固設されている。前記把持部材５の上端は、一方の板状部材２の上縁端より、所定の距離Ｌ１下方に下げた位置に設定され、該Ｌ１は後述する弾性部材７の幅Ｌ２より大きく設定されている。
【００１５】
前記把持部材５は、回覧書類を把持し、一方の板状部材の内面に係止できるものであれば任意のものを用いることができ、本実施例１においては、クリップを用いた。
【００１６】
回覧板１を開いた状態における内面２ａ、２ａ側には、図１に示すように、該内面２ａ側の周縁部全長に亘って線状の弾性部材７が被覆部材３に対して固着され、弾性部材７は回覧板１を開いた状態において略左右対称となるように配設されている。すなわち、回覧板１を閉じた状態において、図３、４に示すように、一方の板状部材２の内面に設けた弾性部材７と、他方の板状部材２の内面に設けた弾性部材７とが密着できる位置に弾性部材７が配設されている。また、板状部材２、２の連結部側の縦方向には、弾性部材７は配設されていない。
【００１７】
また、回覧板１を開いた状態における中央部に位置する弾性部材７に縦方向に切り込みを設けてもよい。
【００１８】
前記把持部材５の高さ（厚み）Ｌ３は、弾性部材７の厚みＬ４を２倍したものよりも若干小さくなるように設定されている。すなわち、回覧板１を閉じた状態における一方の板状部材２における被覆部材３の内面と他方の板状部材２における被覆部材３の内面との距離Ｌ５は、Ｌ５≒Ｌ４×２であるので、Ｌ５は把持部材５の高さＬ３よりも若干大きく設定されている。
【００１９】
前記弾性部材７として、中空状のものや中実のものを使用できる。また、弾性部材７の材質として、例えば、樹脂、ゴム、スポンジ等のものを用いることができる。本実施例１においては、樹脂製で、かつ、中空状で線状の弾性部材を使用し、回覧板１を閉じた状態における弾性部材７と弾性部材７との密着性を高めている。また、弾性部材７の被覆部材３への固着方法は、接着剤等の任意の方法により行う。
【００２０】
本実施例１の回覧板１は前記のような構造を有することにより次の作用、効果を奏する。
【００２１】
板状部材２、２全体は、透明の耐水性又は／及び撥水性を有する透明の被覆部材３で一連に被覆されていることにより、回覧板１の外面は、雨等により濡れても板状部材２が変形したり損傷したりすることはない。
【００２２】
回覧板１を開いた状態における両内面２ａ側の周縁部全長に亘って弾性部材７を被覆部材３に対して固着したことにより、回覧板１を閉じると、一方の板状部材２の内面２ａ側に設けた弾性部材７と、他方の板状部材２の内面２ａ側に設けた弾性部材７とが、図４に示すように、密着することにより、回覧板１が閉じた状態において、回覧板１の内部へ雨等が侵入することを抑制し、回覧板１内の回覧書類を濡れることを低減できる。
【００２３】
回覧板１を開いた状態における中央部に位置する弾性部材７に切り込みを設けると、回覧板１を閉じた状態において、回覧板１の開閉部付近に位置する弾性部材７、７同士の密着性を増すことができる。
【００２４】
本実施例１においては、２枚の板状部材２を被覆部材３により開閉可能に連結したが、２枚の板状部材を、被覆部材３を用いることなくプラスチック等の耐水性又は及び撥水性を有する部材で形成し、該２枚の板状部材を、柔軟性を有する部材等により開閉可能に連結しても良い。この場合、弾性部材７は板状部材に対して固着される。
【実施例２】
【００２５】
図５、図６は本発明の実施例２を示す。
前記実施例１においては、一方の板状部材２の上縁端より、所定の距離Ｌ１下方に下げた位置に把持部材５を設け、回覧板１を開いた状態における内面側の周縁部全長に亘って弾性部材７を設けたが、図５、図６に示すように、一方の板状部材２の上縁端の近傍に把持部材５を設け、回覧板１を開いた状態における内面側で、かつ、把持部材５が位置する以外の周縁部全長に亘って弾性部材７を設けてもよい。
【００２６】
その他の部材は前記実施例１と同様に形成されているので、その説明を省略する。
本実施例２においては、回覧板１を閉じると、把持部材５が位置する部位においては、その把持部材５と弾性部材７とが密着し、把持部材５が位置しない周縁部においては、一方の板状部材２の内面２ａ側に設けた弾性部材７と、他方の板状部材２の内面２ａ側に設けた弾性部材７とが、図４に示すように、密着することにより、回覧板１の内部へ雨等が侵入することを抑制し、回覧板１内の回覧書類を濡れることを低減できる。これにより、前記実施例１よりも少ない弾性部材７で、前記実施例１と同等の作用、効果を奏することができる。
【実施例３】
【００２７】
図７は本発明の実施例３の一例を示す。
前記実施例１においては、一方の板状部材２の上縁端より、所定の距離Ｌ１下方に下げた位置に把持部材５を設け、回覧板１を開いた状態における内面側の周縁部全長に亘って弾性部材７を設けたが、回覧板１を開いた状態における内面側の周縁部で、かつ、中央部から左右いずれか一方の内面に位置する前記周縁部のみに弾性部材７を設けてもよい。
【００２８】
前記弾性部材７の高さ（厚み）は、前記実施例１における、回覧板１を閉じた状態における一方の板状部材２における被覆部材３の内面と他方の板状部材２における被覆部材３の内面との距離Ｌ５と略同等か若干大きく設定されている。このＬ５は、前記実施例１と同様に、把持部材５の高さＬ３よりも大きく設定されている。
【００２９】
その他の部材は前記実施例１と同様に形成されているので、その説明を省略する。
また、本実施例３においても前記実施例１と同様の効果を奏する。
【００３０】
図７においては、弾性部材７を、回覧板１を開いた状態における内面側の周縁部で、かつ、中央部から右方に位置する内面、すなわち、他方の板状部材２の内面側のみに設けたが、回覧板１を開いた状態における内面側の周縁部で、かつ、中央部から左方に位置する内面、すなわち、把持部材５が設けられている一方の板状部材２の内面側のみに設けても良い。
【実施例４】
【００３１】
図８は、本発明の実施例４の一例を示すものである。
前記実施例１乃至３においては、把持部材５を、一方の板状部材２の上方に配設したが、把持部材５を、一方の板状部材２の側方に配設しても良い。
【００３２】
図８は、本実施例を、図１乃至図４に示す実施例１に適用した一例を示すものである。また、実施例２のように把持部材５を一方の板状部材２の側縁端近傍に配設し、把持部以外の位置に弾性部材７を配設しても良いし、実施例３のように、回覧板１を開いた状態における内面側の周縁部で、かつ、中央部から左右いずれか一方に位置する内面に位置する前記周縁部のみに弾性部材７を設けてもよい。
【００３３】
その他の部材は前記実施例１乃至３と同様に形成されているので、その説明を省略する。
【００３４】
また、本実施例４においても前記実施例１乃至３と同様の効果を奏する。
【図面の簡単な説明】
【００３５】
【図１】本発明の実施例１における回覧板を開いた状態の内面図。
【図２】本発明の実施例１における回覧板を半開きにした状態の斜視図。
【図３】本発明の実施例１における回覧板を閉じた状態の上面図。
【図４】図３のＡ−Ａ線断面図。
【図５】本発明の実施例２における回覧板を開いた状態の内面図。
【図６】本発明の実施例２における回覧板を半開きにした状態の斜視図。
【図７】本発明の実施例３における回覧板を開いた状態の内面図。
【図８】本発明の実施例４における回覧板を開いた状態の内面図。
【図９】従来の回覧板を開いた状態の内面図。
【図１０】従来の回覧板を閉じた状態の上面図。
【符号の説明】
【００３６】
１  回覧板
２  板状部材
２ａ  内面
５  把持部材
７  弾性部材
【図１】
2008273022.tif 000003
【図２】
2008273022.tif 000004
【図３】
2008273022.tif 000005
【図４】
2008273022.tif 000006
【図５】
2008273022.tif 000007
【図６】
2008273022.tif 000008
【図７】
2008273022.tif 000009
【図８】
2008273022.tif 000010
【図９】
2008273022.tif 000011
【図１０】
2008273022.tif 000012